(57)【特許請求の範囲】
【請求項１】
音信号を入力するマイク用ジャックと、該マイク用ジャックに入力された音信号を受信する音信号受信判定部と、該音信号受信判定部で受信した音信号を解読する解読部と、該解読部で解読した内容を記憶する記憶部とを具備し、前記マイク用ジャックにて受け取った音信号にしたがって該解読内容を前記記憶部に記憶し、受信した音信号を解読部で解読不可能な内容を取捨選択可能な入力装置と、
前記記憶部と、音信号を符号化する音信号符号化部と、該音信号符号化部で符号化された音信号であって、その周波数がダイヤル発信時の周波数に対して変更されかつ符号化された音信号を発生する音信号発生部と、該音信号発生部で発生した音信号を複数回出力するイヤホン用ジャックとを具備する出力装置と、
を有することを特徴とする電話装置。
【請求項２】
一方の電話装置に記憶された電話帳データを他方の電話装置に転送する電話帳データ転送システムであって、
一方の電話装置が、電話帳データを記憶する第１の記憶部と、該第１の記憶部の電話帳データを音信号に符号化し、該符号化した音信号であって、その周波数がダイヤル発信時の周波数に対して変更されかつ符号化された音信号を発生する音信号発生部と、該音信号発生部で発生した音信号を複数回出力するイヤホン用ジャックとを具備する一方、
他方の電話装置が、前記イヤホン用ジャックとケーブルにて接続されるマイク用ジャックと、該マイク用ジャックに入力された信号を受信する音信号受信判定部と、該音信号受信判定部で受信した音信号を解読する解読部と、該解読部で解読した内容を記憶し、受信した音信号を解読部で解読不可能な内容を取捨選択可能に記憶する第２の記憶部とを具備することを特徴とする電話帳データ転送システム。
【請求項３】
一方の電話装置に記憶された電話帳データを他方の電話装置に転送する電話帳データ転送方法であって、
一方の電話装置に記憶された電話帳データを音信号に符号化し、該符号化した音信号であって、その周波数がダイヤル発信時の周波数に対して変更されかつ符号化された音信号を発生するステップと、
発生した音信号をイヤホン用ジャックから複数回出力するステップと、
イヤホン用ジャック及びケーブルを介してマイク用ジャックに入力された信号を受信するステップと、
受信した音信号を解読するステップと、
解読した内容を他方の電話装置に記憶し、受信した音信号を解読部で解読不可能な内容を取捨選択するステップとを含むことを特徴とする電話帳データ転送方法。
【発明の詳細な説明】
【０００１】
【発明の属する技術分野】
本発明は、電話装置に組み込まれた電話帳の記憶内容データの転送に関し、電話装置および電話装置の記憶内容転送方法に関する。
【０００２】
【従来の技術】
家庭の電話機や携帯電話機などを買い換えた場合に、旧機種の中に入力された電話帳データを新機種に移す必要が有る。
【０００３】
このためのしくみとしてこれまでは、電話帳転送に関し、
Ａ）ＰＨＳトランシーバモード使用
Ｂ）通信回線経由の電話帳データ伝送
Ｃ）コードレス電話子機間
Ｄ）パソコン使用の仲介型の転送
また、ＤＴＭＦを使用したものには次のようなものが有る、
Ｅ）ＤＴＭＦダイヤラ
Ｆ）ＤＴＭＦ文字転送
即ち、上記Ａ）では、ＰＨＳを使用したデジタルコードレス電話機の子機同士をトランシーバモードにて接続し、無線データ伝送機能を使用して電話帳を転送するものである（パルディオ３３１Ｓ等：ＮＴＴパーソナルの商品名）。
【０００４】
上記Ｂ）では、各種データが設定されたＡ局の電話機からＢ局の電話機へ、電話回線を介してＤＴＭＦ信号によって伝送指令コマンドを送り、その後前記Ａ局の電話機の設定データを所定の変調信号によって電話回線を介してＢ局の電話機へ伝送するものがある（特開平６−３２６７６５号公報）。
【０００５】
また、無線選択呼出受信装置において、電話帳メモリの内容をＤＴＭＦに変換し無線選択呼出システムに電話回線を通じて伝送しこれを指定の無線選択呼出受信装置に配信する事で電話帳内容を転送する物が有る（特開平９−２４７７２８号公報）。
【０００６】
上記Ｃ）では送話音声と制御データを高周波信号として送信する無線送信手段、無線受信手段、電話帳データを含むデータを記憶する記憶手段、制御手段により構成され、記憶手段内に記憶された電話帳データの各データに公開の可否を示す識別符号と、制御手段内に前記識別符号を検出する識別符号検出手段を設け公開可の電話帳データを無線送信手段により伝送するものである（特開平７−３８９５７号公報）。
【０００７】
上記Ｄ）では、ＰＤＣ方式デジタル携帯電話の仕様として定められた事業者間共通コネクタによる電話帳の読み出し、書き込み仕様に基いて、専用ケーブルを使用しＰＤＣ方式デジタル携帯電話機の電話帳をパーソナルコンピュータに転送し、（これを編集し）、またＰＤＣ方式デジタル携帯電話機に転送する事でＰＤＣ方式デジタル携帯電話機間の電話帳転送が行えるものである（モバイルエディター：ハル・コーポレイションの商品名、ケータイ・エディ：インクリメントＰの商品名）。
【０００８】
上記Ｅ）は、ビーパーとして知られており、電話機送話口に発音部を当て電話帳に記憶してある電話番号をＤＴＭＦにて発生しダイヤル信号とし、電話をかけるものが有る。
【０００９】
上記Ｆ）は、ダイヤルキーの出力をＤＴＭＦ信号に変換し電話回線にて接続された相手機器にて受信しデコードし、プリンタに印字されるものである（特開昭６２−９１０６１号公報）。
【００１０】
【発明が解決しようとする課題】
携帯電話機を買い換えた場合に、旧機種の中に入力された電話帳データを新機種に移す必要が有る。この時、携帯電話機に特別なハードウエアを付け加えず、通信費用もかけずに電話帳転送したい。しかも異機種間ででも可能としたい。しかし、このような要求全てを満たすものはこれまでに無かった。
【００１１】
即ち、上記Ａ）Ｂ）Ｃ）Ｄ）は特定の機器間（ＰＨＳ、コードレス電話機、ＰＤＣ方式携帯電話機、無線選択呼出受信装置等）での転送しか出来ない。上記Ｂ）では通信回線を使用し課金される。上記Ｄ）では、パーソナルコンピュータと接続する特別なケーブルが必要となる。
【００１２】
本発明では、これを解決するために、通常の電話機が持つスピーカとマイクを使用して音による電話帳データの伝送を行う。これによって、ＰＨＳから携帯電話機（ＰＤＣ、ＣＤＭＡなど）、有線電話機からＰＨＳへの電話帳転送など異機種間の電話帳転送が可能となる。しかしこれにも以下の問題がある。
【００１３】
音は周囲雑音が多く、これを受けにくくしたい。また、雑音による誤りに対する保護が必要
新規の伝送形態の採用は、新たな追加ハードウエアが必要となる
ＤＴＭＦは速度が遅い。新たにモデムを用意すると高価、実装場所必要
音では容易に複写可能となる（セキュリティーに難点有り）
何を、どこまで転送しているか分からない
例えば、シークレットデータを移す場合に、受信側にシークレット機能が無い場合など困る
取り扱うデータと音との対応が異なる電話機相互の電話帳転送ができない
送信側のデータが受信側記憶量よりも多いときにも、受信したデータは残しておきたい等である。
【００１４】
【課題を解決するための手段】
請求項１記載の電話装置は、音信号を入力するマイク用ジャックと、該マイク用ジャックに入力された音信号を受信する音信号受信判定部と、該音信号受信判定部で受信した音信号を解読する解読部と、該解読部で解読した内容を記憶する記憶部とを具備し、前記マイク用ジャックにて受け取った音信号にしたがって該解読内容を前記記憶部に記憶し、受信した音信号を解読部で解読不可能な内容を取捨選択可能な入力装置と、
前記記憶部と、音信号を符号化する音信号符号化部と、該音信号符号化部で符号化された音信号であって、その周波数がダイヤル発信時の周波数に対して変更されかつ符号化された音信号を発生する音信号発生部と、該音信号発生部で発生した音信号を複数回出力するイヤホン用ジャックとを具備する出力装置と、
を有することを特徴とする電話装置である。
【００１５】
請求項２記載の電話帳データ転送システムは、一方の電話装置に記憶された電話帳データを他方の電話装置に転送する電話帳データ転送システムであって、
一方の電話装置が、電話帳データを記憶する第１の記憶部と、該第１の記憶部の電話帳データを音信号に符号化し、該符号化した音信号であって、その周波数がダイヤル発信時の周波数に対して変更されかつ符号化された音信号を発生する音信号発生部と、該音信号発生部で発生した音信号を複数回出力するイヤホン用ジャックとを具備する一方、
他方の電話装置が、前記イヤホン用ジャックとケーブルにて接続されるマイク用ジャックと、該マイク用ジャックに入力された信号を受信する音信号受信判定部と、該音信号受信判定部で受信した音信号を解読する解読部と、該解読部で解読した内容を記憶し、受信した音信号を解読部で解読不可能な内容を取捨選択可能に記憶する第２の記憶部とを具備することを特徴とする電話帳データ転送システムである。
【００１６】
請求項３記載の電話帳データ転送方法は、一方の電話装置に記憶された電話帳データを他方の電話装置に転送する電話帳データ転送方法であって、
一方の電話装置に記憶された電話帳データを音信号に符号化し、該符号化した音信号であって、その周波数がダイヤル発信時の周波数に対して変更されかつ符号化された音信号を発生するステップと、
発生した音信号をイヤホン用ジャックから複数回出力するステップと、
イヤホン用ジャック及びケーブルを介してマイク用ジャックに入力された信号を受信するステップと、
受信した音信号を解読するステップと、
解読した内容を他方の電話装置に記憶し、受信した音信号を解読部で解読不可能な内容を取捨選択するステップとを含むことを特徴とする電話帳データ転送方法である。
【００１９】
【発明の実施の形態】
図１に本発明を有線電話機に適応したブロック図を示す。１は記憶部で、電話帳データや暗証番号などのデータが記憶されている。２はＣＰＵで表示機８０、キー入力装置８１などと共にユーザーからの電話操作などを処理するとともに、本考案では電話帳データからＤＴＭＦデータへの変換や、暗証番号の送出、照合などを行う。３はＤＴＭＦジェネレータでＣＰＵからのデータを音信号に変換する。３１はスイッチで、ＣＰＵによって指示され、電話音声信号とＤＴＭＦ音信号の何れかをアンプ３２へ導く切り替えを行う。３３はスイッチで、ＣＰＵによって指示され、出力音を送受話器５のイヤピース５１かスピーカホンのスピーカ５２かイヤホンジャック５３の何れかに導く切り替えを行う。３４はスピーカ用の電力増幅回路で、スピーカホン時の十分な音量を発生させるために音信号を増幅する。
【００２０】
５５は送受話器５の送話マイク、５６はスピーカホンのマイク、５７はマイクジャックで、音信号が入力される。４３はスイッチで、上記の何れかをＣＰＵの指示により選択しアンプ４２へ入力する。４１はスイッチで、ＣＰＵの指示により音信号を音声回路またはＤＴＭＦレシーバへと切り替える。４はＤＴＭＦレシーバで、音信号をＣＰＵへのＤＴＭＦデータへと変換する。変換されたデータはＣＰＵ２へ渡され、ＤＴＭＦデータから電話帳データへと変換される。
【００２１】
６は発振器で、ＤＴＭＦジェネレータやＤＴＭＦレシーバの音の発生や音の判定を行う周波数の基準を発振している。
【００２２】
７１は音声回路、７２は通信回路で有線電話の２線４線変換スピーチネットワークであり、回線７３に接続される。
【００２３】
通常の電話通信での使用のため、ＤＴＭＦジェネレータは、トーン信号によるダイヤル発信を行うために通信回路へ接続されている。また、ＤＴＭＦレシーバは、図示しない留守番電話部分などのリモート制御を行うために設けられ、回線からのＤＴＭＦ音を選別しＣＰＵに伝えている。
【００２４】
上記構成の電話機にて、電話帳の移し替えを行う動作を述べる。上記構成は、出力装置であると共に入力装置である。この装置が２台あり、片方が現用の電話機で電話帳データを既に入力されている。以下これを「出力装置」と呼ぶ。もう一方が新規に導入した電話機で電話帳にデータを移すもので、以下「入力装置」と呼ぶ。
【００２５】
ユーザーが出力装置をキー操作により電話帳出力モードに設定すると、ＣＰＵ２は記憶部１の電話帳データ量（登録済件数）をＬＣＤ表示機８０に表示して待機する。一方ユーザーが入力装置をキー操作により電話帳入力モードにすると、ＣＰＵ２’はＬＣＤ表示機８０’にメモリ容量（電話帳登録可能件数）を表示して待機する。このメモリ量表示は伝送でデータが入力装置側にすべて入りきるか否かを事前に示すためである。
【００２６】
ユーザーが送受話器を使用して電話帳データを転送する指定をしたとすると、スイッチはそれぞれ、３１はＤＴＭＦジェネレータ３側に接続され、３３はユーザー指定により送受話器のイヤピース５１に、４３’はユーザー指定により送受話器のマイク５５’から、４１’はＤＴＭＦレシーバ４’側に接続される。この状態を、図２に出力装置側と入力装置側のそれぞれ関係する部分を取り出して示した。以下これにしたがって動作を述べる。
【００２７】
出力装置で伝送開始を指定すると、ＣＰＵ２は記憶部１からまず暗証番号を読み出しこれを暗号化して送信する。即ち、読み出した暗証番号を暗号化した結果が例えば「１２３４」であった場合、ＣＰＵ２はこれをシフトＪＩＳコードの「８２５０、８２５１、８２５２、８２５３」と解釈する。ここで１６ビットコードを数値４桁で表現し、対応するＤＴＭＦを並べて発生する。
【００２８】
例えば、「亜」は、シフトＪＩＳコードで、８８９Ｆであり、対応変換表（図３）によって８８９Ｃと変換される。これを参照し、上記「１２３４」は「８２５Ｄ、８２５１、８２５２、８２５３」と変換しＤＴＭＦジェネレータ３へ送る。ＤＴＭＦジェネレータ３はこれをそれぞれＤＴＭＦトーンとして発生し、アンプ３２スピーカ５１を経て音響を発生する。この音響が、入力装置のマイク５５’にて音信号に変換され、アンプ４２’を経由してＤＴＭＦレシーバ４’に入力される。ＤＴＭＦレシーバ４’は音信号を受信しＣＰＵ２’に「８２５Ｄ、８２５１、８２５２、８２５３」を出力する。ＣＰＵ２’は、このデータを対応変換表を参照し対応逆変換し、「８２５０、８２５１、８２５２、８２５３」、即ち「１２３４」である事を解読する。
【００２９】
ＣＰＵ２’はこれを暗証番号比較検査２５’にて元の暗証番号に戻し、ユーザーが予め入力装置に入力した、送信装置の暗証番号と比較して同じ場合は以下の転送信号を受け付ける。異なる場合は、「暗証番号エラー」と表示し、転送を中止する。この暗証番号確認操作は、この転送機能を利用して正規ユーザー以外の人が容易に電話帳を読み取る事を防ぐためである。
【００３０】
出力装置側は、暗証番号の比較結果を知らないので、そのまま電話帳の内容を出力し続ける。入力装置側は暗証番号の比較に成功すればこのデータを受け付け、電話帳に記録する。即ち、電話帳内容がＣＳＶ形式で送られ、ヘッダーとして「姓，名，電話番号，携帯番号，ＦＡＸ番号，シークレット，備考ｃｒｌｆ」、データとして「青木，裕子，０１２３−４５−６７８９，０３０−１２−３４５６７，０１２３−４５−６７８０，１ｃｒｌｆ」、「．．．」．．．と伝送される。
【００３１】
この伝送は、シフトＪＩＳコード「９０Ａ９  ２ｃ  ９６ＢＣ  ．．中略．．０ｄ０ａ」「９０Ｃ２  ９６Ｄ８  ２ｃ  ．．中略．．０ｄ０ａ」「．．．」がＤＴＭＦコード「９Ｄ００  ２＃  ９６＊＃  ．．中略．．ＤＡＤ０」「９０＃２  ９６Ａ８  ２＃  ．．中略．．ＤＡＤ０」「．．．」に変換され、音として伝送される。各情報が出力されている間、ＬＣＤ表示器には何件目のデータが伝送中かを示す数値が表示される。
【００３２】
入力装置はＤＴＭＦ音をＤＴＭＦレシーバで受信、ＣＰＵで解読し、ヘッダーとして「姓，名，電話番号，携帯番号，ＦＡＸ番号，シークレット，備考ｃｒｌｆ」、データとして「青木，裕子，０１２３−４５−６７８９，０３０−１２−３４５６７，０１２３−４５−６７８０，１ｃｒｌｆ」、「．．．」．．．として電話帳へ記憶する。このとき例えば、対応する項目「シークレット」が入力装置側の電話帳でサポートしていないときは、これを表示し、ユーザーの判断を求める。受信メモリーがいっぱいになるまでに判断が入力されないときは、この項目を記憶しないで捨てる。判断はＬＣＤ表示機に表示される選択肢にて、「１捨てる、２備考に記憶、３転送中止」から選択する。
【００３３】
最終的に、電話帳データを全て出力し終えると、出力側は空白の行（ｃｒｌｆのみの行）を１０回送出する事で終了した事を入力装置側に知らせ、電話帳転送モードを終了する。これを受け取った入力装置側も電話帳転送モードを終了し、ＬＣＤ表示器に「受信完了」表示を行い「ピー」と音をリンガー５４’に出力する。
【００３４】
伝送結果の信頼性を確認する「比較モード」が出力装置側に設定されていると、伝送終了時の１０回の空白行の代わりに５回の空白行の送出後、送信側は再度データ送信を開始する。これを受信側は１回目に電話帳に記録したデータと比較しながら誤りが有るか否かをＬＣＤ表示器に表示する。
【００３５】
データ伝送後、「上書きモード」を入力側で設定すると、入力側の電話帳データを無視して、電話帳が空であるとみなして電話帳伝送を行う。これによって、誤りの有った場合に再度伝送する事が容易になる。
【００３６】
出力装置から伝送された電話帳データを受信する入力装置の記憶容量を監視し、現在受信した電話帳データを記憶するとメモリー量を上回る事を検出した場合、入力装置はそれまで伝送され記憶したデータは保持し、それ以降のデータを無視して、伝送終了を行い、ＬＣＤ表示器に「データ容量不足」と表示を行い「ピ
ピ  ピ」と音をリンガー５４’に出力する。
【００３７】
上記のように送受話器を音響伝送に使用する例では２台の電話機で送受話器間の間隔が異なる場合も多く、双方向の音響伝送には適さないため、片方向の伝送のみによる動作を行っている。また、スピーカホンを使用する場合も送信音と受信音が区別できず、片方向の伝送による動作を行う。しかし、信頼性をあげるためデータ伝送時にハンドシェイクを行いながら伝送する事もできる。この場合、電話機形状の違いを考慮すると、イヤホンジャックやマイクジャックを利用し、イヤホンマイクによる接続やケーブル接続が適当である。
【００３８】
ケーブル接続を使用するときのケーブル回路例を図４に示す。出力側が差動出力を構成しており、これを抵抗終端し、直流カットし、更にインピーダンス整合のため直列抵抗を入れて、マイク端子に接続している。
【００３９】
しかし、イヤホンマイク端子の無い電話機もあるので、片方向での音響伝送が汎用的である。
【００４０】
以上の例では、回線に接続される有線電話として示したが、無線で接続される携帯電話でも同様である。
【００４１】
また、ＤＴＭＦの周波数を変更する事で、通常のＤＴＭＦと異なる周波数を使用する事もでき、周囲の電話機からのダイヤル発信時のＤＴＭＦ音響を受けない様にする事も可能である。
【００４２】
また、音響にてデータを送受信する為には、音信号発生部としてテキスト音声変換を、また、音信号受信判定部として音声認識技術を用いて行う事もできる。
【００４３】
更に、雑音による伝送誤りを検出または訂正するため、データを２回伝送し誤りを検出する事もできる。３回伝送し多数決にて受信データを決定する事もできる。ＤＴＭＦにて伝送する場合にはデータ伝送に時間がかかるため、実使用上は、少ない回数で済ます事が望ましい。
【００４４】
上記の実施例では、音声回路とＤＴＭＦジェネレータとをスイッチで切り替えて使用するように示しているが、本考案の動作では電話帳の転送時に通信回路を使用しないため音声回路も動作せず、これを同時に（例えば加算アンプにて加算し）前置出力アンプへ印加する回路構成としてもかまわない。また、ＤＴＭＦ信号が通信回路へ印加されても、通信回線を使用していないので問題はない。また、ＤＴＭＦレシーバ入力も音声回路や通信回路に接続されたままでかまわない構成とできる。
【００４５】
以上では、音信号にＤＴＭＦを用いたが、より高速の伝送を行うためにモデム信号を使用する事ができる。この場合の構成は、図１のＤＴＭＦジェネレータ３の代わりにモジュレータを、ＤＴＭＦレシーバ４の代わりにデモジュレータを配置し、音響入力と音響出力にて同様にインタフェースすれば良い。最近はデジタルシグナルプロセッサ（ＤＳＰ）を使用してＤＴＭＦジェネレータレシーバも、モデム信号処理も行う事ができ、ＤＴＭＦ処理の代わりにモデム処理をＤＳＰプログラムとして置換えて使用する事ができる。本考案の場合は、特に回線を使用していないので通信に必要な処理を行わずモデム信号処理のみを行う事ができ、ＤＳＰ処理量が少なく済むので、より置換えやすい。
【００４６】
本発明の電話装置は、音の発生／入力のための装置を具備しているので、音を媒介とし電話帳データを転送する事に対して新たなハードウエアを追加する必要が無い。そこで、イヤピースより電話帳データを音として放音し、マイクにて入力し解読して電話帳データとする。また、イヤホンマイクジャックとケーブルを使用することで、電気音響変換せずに電話帳の音信号による伝送が可能となる。この時、音の発生源／解読装置に既製ハードウエア／ソフトウエアを使用する事が望ましく、ＤＴＭＦ発生器受信機や発信者番号を送受するモデムなどを使用することができる。
【００４７】
セキュリティーに付いては、送り側に予め使用していた暗証番号を受け側に入力し、伝送の初めにこれが合致したときのみ伝送を受け付けることで、通常の範囲の手段によるデータの不正複写は防ぐことができる。
【００４８】
データの信頼性は、複数回伝送し一致確認することで向上する。現在の状態は表示器に表示し、受信側に対応する項目が無い場合はユーザーに問い合わせる。
【００４９】
データと音信号との対応表を複数持ち選択使用することで、例えばメーカー毎に対応が異なっても選択受信できる。また、データ記憶量の違いにより受信側でメモリーがいっぱいになったときに、受信を打ち切ることで、既に受信したデータを無駄にすることが無い。
【００５０】
【発明の効果】
以上のように、本発明によれば、携帯電話機を買い換えた場合などに、旧機種の中に入力された電話帳データを新機種に移す事ができる。また、通信費用をかけずに電話帳転送が可能となる。さらに、異機種間ででも可能となる。特に入力装置は、受け取った音信号に従って解読内容を記憶部に記憶し、受信した音信号を解読部で解読不可能な内容を取捨選択することができる。また出力装置のうち音信号発生部は、音信号符号化部で符号化された音信号であって、その周波数がダイヤル発信時の周波数に対して変更されかつ符号化された音信号を発生するので、周囲の電話機からのダイヤル発信時の音信号の影響を受けないようにすることが可能となる。
【００５１】
また、本発明によれば、周囲雑音を受けにくい。また、双方向に伝送可能となりハンドシェイクができる。そして一方の電話装置のうち音信号発生部は、符号化された音信号であって、その周波数がダイヤル発信時の周波数に対して変更されかつ符号化された音信号を発生するので、周囲の電話機からのダイヤル発信時の音信号の影響を受けないようにすることが可能となる。他方の電話装置のうち第２の記憶部は、受け取った音信号に従って解読内容を記憶部に記憶し、受信した音信号を解読部で解読不可能な内容を取捨選択することができる。
【００５２】
さらに、本発明によれば、従来から持つハードウエア／ソフトウエアを使用でき、スイッチなどの追加のみで可能となる。特に音信号を発生するステップでは、符号化した音信号の周波数がダイヤル発信時の周波数に対して変更されかつ符号化されるので、周囲の電話機からのダイヤル発信時の音信号の影響を受けないようにすることが可能となる。他方の電話装置においては、受信した音信号に従って解読内容を記憶部に記憶し、受信した音信号を解読部で解読不可能な内容を取捨選択することができる。
【図面の簡単な説明】
【図１】本発明の実施例であって有線電話への適用例を示す図である。
【図２】実施例による信号伝送の説明を示す図である。
【図３】対応変換表の例を示す図である。
【図４】接続ケーブルの構成例を示す図である。
【符号の説明】
１  記憶部
２  ＣＰＵ
３  ＤＴＭＦジェネレータ
４  ＤＴＭＦレシーバ６は発振器
５  送受話器
３１  スイッチ
３２  アンプ
３３  スイッチ
３４  スピーカ用の電力増幅回路
４１  スイッチ
４２  アンプ
４３  スイッチ
５１  イヤピース
５３  イヤホンジャック
５２  スピーカホンのスピーカ
５５  送受話器５の送話マイク
５６  スピーカホンのマイク
５７  マイクジャック
７１  音声回路
７２  通信回路
７３  回線
８０  表示機
８１  キー入力装置
【図１】
0003604913.tif 000002
【図２】
0003604913.tif 000003
【図３】
0003604913.tif 000004
【図４】
0003604913.tif 000005